(57)【要約】      （修正有）【課題】タッチパネルをタッチすると、発光してタッチ有無をユーザーが明確に認識することができる抵抗膜方式タッチパネルを提供する。【解決手段】第１透明基板１１０の一面にＰ型電極層１３１、Ｐ型半導体層１３３の順で積層されて形成された第１透明電極１２０と、第２透明基板１４０の一面にＮ型電極層１３９、Ｎ型半導体層１３７、活性層１３５の順で積層されて形成された第２透明電極１５０と、前記第１透明電極１２０と前記第２透明電極１５０とが一定の間隔で離隔するように前記第１透明基板１１０の一面の縁部と前記第２透明基板１４０の一面の縁部とを接着させる接着層１６０と、入力手段が前記第１透明基板１１０の他面を加圧して前記第１透明基板１１０が撓んで前記第１透明電極１２０と前記第２透明電極１５０とが接触すると、前記活性層が発光するように前記Ｐ型電極層１３１と前記Ｎ型電極層１３９に電圧を供給する電源供給部とを含んでなる。【選択図】図１
2012018656.tif 000002
【特許請求の範囲】
【請求項１】
第１透明基板の一面にＰ型電極層、Ｐ型半導体層の順で積層されて形成された第１透明電極と、
第２透明基板の一面にＮ型電極層、Ｎ型半導体層、活性層の順で積層されて形成された第２透明電極と、
前記第１透明電極と前記第２透明電極が一定の間隔で離隔するように前記第１透明基板の一面の縁部と前記第２透明基板の一面の縁部とを接着させる接着層と、
入力手段が前記第１透明基板の他面を加圧して前記第１透明基板が撓んで前記第１透明電極と前記第２透明電極とが接触すると、前記入力手段のタッチ座標を算出する制御部と、
前記第１透明電極と前記第２透明電極とが接触すると、前記活性層が発光するように前記Ｐ型電極層と前記Ｎ型電極層に電圧を供給する電源供給部とを含むことを特徴とする、発光フィードバックを提供する抵抗膜方式タッチパネル。
【請求項２】
前記Ｐ型半導体層は伝導性高分子を用いて形成することを特徴とする、請求項１に記載の発光フィードバックを提供する抵抗膜方式タッチパネル。
【請求項３】
前記伝導性高分子はポリ−３，４−エチレンジオキシチオフェン／ポリスチレンスルホネート（ＰＥＤＯＴ／ＰＳＳ）、ポリアニリン、ポリアセチレンまたはポリフェニレンビニレンを含むことを特徴とする、請求項２に記載の発光フィードバックを提供する抵抗膜方式タッチパネル。
【請求項４】
前記第１透明電極または前記第２透明電極にはドットスペーサーが備えられることを特徴とする、請求項１に記載の発光フィードバックを提供する抵抗膜方式タッチパネル。
【請求項５】
前記第１透明電極の末端に形成された第１電極配線、および前記第２透明電極の末端に形成された第２電極配線をさらに含むことを特徴とする、請求項１に記載の発光フィードバックを提供する抵抗膜方式タッチパネル。
【請求項６】
前記第１電極配線または前記第２電極配線はＦＰＣ(Flexible Printed Cable)で前記制御部と連結されることを特徴とする、請求項５に記載の発光フィードバックを提供する抵抗膜方式タッチパネル。
【請求項７】
第１透明基板の一面にＮ型電極層、Ｎ型半導体層の順で積層されて形成された第１透明電極と、
第２透明基板の一面にＰ型電極層、Ｐ型半導体層、活性層の順で積層されて形成された第２透明電極と、
前記第１透明電極と前記第２透明電極とが一定の間隔で離隔するように前記第１透明基板の一面の縁部と前記第２透明基板の一面の縁部とを接着させる接着層と、
入力手段が前記第１透明基板の他面を加圧して前記第１透明基板が撓んで前記第１透明電極と前記第２透明電極とが接触すると、前記入力手段のタッチ座標を算出する制御部と、
前記第１透明電極と前記第２透明電極とが接触すると、前記活性層が発光するように前記Ｐ型電極層と前記Ｎ型電極層に電圧を供給する電源供給部とを含むことを特徴とする、発光フィードバックを提供する抵抗膜方式タッチパネル。
【請求項８】
前記Ｐ型半導体層は伝導性高分子を用いて形成することを特徴とする、請求項７に記載 の発光フィードバックを提供する抵抗膜方式タッチパネル。
【請求項９】
前記伝導性高分子はポリ−３，４−エチレンジオキシチオフェン／ポリスチレンスルホネート（ＰＥＤＯＴ／ＰＳＳ）、ポリアニリン、ポリアセチレンまたはポリフェニレンビニレンを含むことを特徴とする、請求項８に記載の発光フィードバックを提供する抵抗膜方式タッチパネル。
【請求項１０】
前記第１透明電極または前記第２透明電極にはドットスペーサーが備えられることを特徴とする、請求項７に記載の発光フィードバックを提供する抵抗膜方式タッチパネル。
【請求項１１】
前記第１透明電極の末端に形成された第１電極配線、および前記第２透明電極の末端に形成された第２電極配線をさらに含むことを特徴とする、請求項７に記載の発光フィードバックを提供する抵抗膜方式タッチパネル。
【請求項１２】
前記第１電極配線または前記第２電極配線はＦＰＣ(Flexible Printed Cable)で前記制御部と連結されることを特徴とする、請求項１１に記載の発光フィードバックを提供する抵抗膜方式タッチパネル。
【発明の詳細な説明】
【技術分野】
【０００１】
本発明は、発光フィードバックを提供する抵抗膜方式タッチパネルに関する。
【背景技術】
【０００２】
デジタル技術を用いるコンピュータが発達するにつれて、コンピュータの補助装置も一緒に開発されており、パーソナルコンピュータ、携帯用伝送装置、その他の個人専用情報処理装置などはキーボードやマウスなどの多様な入力装置(Input Device)を用いてテキスト処理およびグラフィック処理を行う。
【０００３】
ところが、情報化社会の急速な進行に伴ってコンピュータの用途が益々拡大する趨勢にあるので、現在入力装置の役割を担当するキーボードおよびマウスのみでは製品の効率的な駆動が難しいという問題点がある。よって、簡単で誤操作が少ないうえ、誰でも容易に情報入力が可能な機器の必要性が高まっている。
【０００４】
また、入力装置に関する技術は、一般な機能を充足させる水準を超えて高信頼性、耐久性、革新性、設計および加工関連技術などに関心が移っている。これに応えるため、テキストやグラフィックなどの情報の入力が可能な入力装置としてタッチパネルが開発された。
【０００５】
このようなタッチパネルは、電子手帳、液晶表示装置（ＬＣＤ、Liquid Crystal Display）、ＰＤＰ(Plasma Display Panel)、Ｅｌ(Electroluminescence)などの平板ディスプレイ装置およびＣＲＴ(Cathode Ray Tube)などの画像表示装置の表示面に設置され、ユーザーが画像表示装置を見ながら所望の情報を選択するようにするのに用いられる道具である。
【０００６】
一方、入力手段がタッチパネルに接触したか否かをユーザーに知らせるためにフィードバックを提供するタッチパネルが生産されている。この種のタッチパネルは、圧電アクチュエータなどのフィードバック提供装置をタッチパネルに取り付けて入力手段がタッチパネルに接触し次第フィードバックをユーザーに提供することにより、ユーザーにタッチパネルの作動／非作動を知らせる。
【０００７】
しかし、前述したフィードバックは、圧電アクチュエータを用いて振動などの触感フィードバックのみを提供する限界がある。また、圧電アクチュエータなどの別途の装置をタッチパネルに取り付けなければならないので、タッチパネルの構成が複雑になり、厚さが厚くなるという欠点がある。
【発明の概要】
【発明が解決しようとする課題】
【０００８】
本発明は、上述した問題点を解決するためのもので、その目的は、入力手段のタッチ座標を算出することができるうえ、入力手段がタッチパネルをタッチすると、発光してタッチ有無をユーザーが明確に認識することができる、発光フィードバックを提供する抵抗膜方式タッチパネルを提供することにある。
【課題を解決するための手段】
【０００９】
本発明の好適な第１実施例に係る発光フィードバックを提供する抵抗膜方式タッチパネルは、第１透明基板の一面にＰ型電極層、Ｐ型半導体層の順で積層されて形成された第１透明電極と、第２透明基板の一面にＮ型電極層、Ｎ型半導体層、活性層の順で積層されて形成された第２透明電極と、前記第１透明電極と前記第２透明電極とが一定の間隔で離隔するように前記第１透明基板の一面の縁部と前記第２透明基板の一面の縁部とを接着させる接着層と、入力手段が前記第１透明基板の他面を加圧して前記第１透明基板が撓んで前記第１透明電極と前記第２透明電極とが接触すると、前記入力手段のタッチ座標を算出する制御部と、前記第１透明電極と前記第２透明電極とが接触すると、前記活性層が発光するように前記Ｐ型電極層と前記Ｎ型電極層に電圧を供給する電源供給部とを含んでなる。
【００１０】
ここで、前記Ｐ型半導体層は伝導性高分子を用いて形成することを特徴とする。
また、前記伝導性高分子はポリ−３，４−エチレンジオキシチオフェン／ポリスチレンスルホネート（ＰＥＤＯＴ／ＰＳＳ）、ポリアニリン、ポリアセチレンまたはポリフェニレンビニレンを含むことを特徴とする。
【００１１】
また、前記第１透明電極または前記第２透明電極にはドットスペーサーが備えられることを特徴とする。
また、前記第１透明電極の末端に形成された第１電極配線、および前記第２透明電極の末端に形成された第２電極配線をさらに含むことを特徴とする。
また、前記第１電極配線または前記第２電極配線はＦＰＣ(Flexible Printed Cable)で前記制御部と連結されることを特徴とする。
【００１２】
本発明の好適な第２実施例に係る発光フィードバックを提供する抵抗膜方式タッチパネルは、第１透明基板の一面にＮ型電極層、Ｎ型半導体層の順で積層されて形成された第１透明電極と、第２透明基板の一面にＰ型電極層、Ｐ型半導体層、活性層の順で積層されて形成された第２透明電極と、前記第１透明電極と前記第２透明電極とが一定の間隔で離隔するように前記第１透明基板の一面の縁部と前記第２透明基板の一面の縁部とを接着させる接着層と、入力手段が前記第１透明基板の他面を加圧して前記第１透明基板が撓んで前記第１透明電極と前記第２透明電極とが接触すると、前記入力手段のタッチ座標を算出する制御部と、前記第１透明電極と前記第２透明電極とが接触すると、前記活性層が発光するように前記Ｐ型電極層と前記Ｎ型電極層に電圧を供給する電源供給部とを含んでなる。
【００１３】
ここで、前記Ｐ型半導体層は伝導性高分子を用いて形成することを特徴とする。
また、前記伝導性高分子はポリ−３，４−エチレンジオキシチオフェン／ポリスチレンスルホネート（ＰＥＤＯＴ／ＰＳＳ）、ポリアニリン、ポリアセチレンまたはポリフェニレンビニレンを含むことを特徴とする。
【００１４】
また、前記第１透明電極または前記第２透明電極にはドットスペーサーが備えられることを特徴とする。
また、前記第１透明電極の末端に形成された第１電極配線、および前記第２透明電極の末端に形成された第２電極配線をさらに含むことを特徴とする。
また、前記第１電極配線または前記第２電極配線はＦＰＣ(Flexible Printed Cable)で前記制御部と連結されることを特徴とする。
【発明の効果】
【００１５】
本発明によれば、入力手段がタッチパネルをタッチすると、タッチ座標を算出すると同時に発光してタッチ有無をユーザーが明確に認識することができるように発光フィードバックを提供するという利点がある。
また、本発明によれば、透明電極を用いて発光フィードバックを提供するので、別途の発光手段を備える必要がないため、タッチパネルの構成を単純化することができるうえ、タッチパネルの薄型化を実現することができるという効果がある。
【図面の簡単な説明】
【００１６】
【図１】本発明の好適な第１実施例に係る発光フィードバックを提供する抵抗膜方式タッチパネルの作動過程を示す断面図である。
【図２】本発明の好適な第１実施例に係る発光フィードバックを提供する抵抗膜方式タッチパネルの作動過程を示す断面図である。
【図３】本発明の好適な第２実施例に係る発光フィードバックを提供する抵抗膜方式タッチパネルの作動過程を示す断面図である。
【図４】本発明の好適な第２実施例に係る発光フィードバックを提供する抵抗膜方式タッチパネルの作動過程を示す断面図である。
【発明を実施するための形態】
【００１７】
本発明の目的、特定の利点および新規の特徴は添付図面に連関する以下の詳細な説明と好適な実施例からさらに明白になるであろう。
これに先立ち、本明細書および請求の範囲に使用された用語または単語は、通常的で辞典的な意味で解釈されてはならず、発明者が自分の発明を最善の方法で説明するために用語の概念を適切に定義することができるという原則に基づき、本発明の技術的思想に符合する意味と概念で解釈されなければならない。
【００１８】
本発明において、各図面の構成要素に参照番号を付加するにおいて、同一の構成要素については、他の図面上に表示されても、出来る限り同一の番号を付することに留意すべきであろう。また、「第１」、「第２」などの用語は一つの構成要素を他の構成要素から区別するために使用されるもので、構成要素が前記用語によって限定されない。なお、本発明を説明するにおいて、関連した公知の技術に対する具体的な説明が本発明の要旨を無駄に乱すおそれがあると判断される場合、その詳細な説明は省略する。
【００１９】
以下、添付図面を参照して本発明の好適な実施例を詳細に説明する。
図１および図２は本発明の好適な第１実施例に係る、発光フィードバックを提供する抵抗膜方式タッチパネルの作動過程を示す断面図である。
図１および図２に示すように、本実施例に係る発光フィードバックを提供する抵抗膜方式タッチパネル１００は、第１透明基板１１０の一面にＰ型電極層１３１、Ｐ型半導体層１３３の順で積層されて形成された第１透明電極１２０と、 第２透明基板１４０の一面にＮ型電極層１３９、Ｎ型半導体層１３７、活性層１３５の順で積層されて形成された第２透明電極１５０と、前記第１透明電極１２０と前記第２透明電極１５０とが一定の間隔で離隔するように前記第１透明基板１１０の一面の縁部と前記第２透明基板１４０の一面の縁部とを接着させる接着層１６０と、入力手段１１５が前記第１透明基板１１０の他面を加圧して前記第１透明基板１１０が撓んで前記第１透明電極１２０と前記第２透明電極１５０とが接触すると、前記入力手段１１５のタッチ座標を算出する制御部１７０と、前記第１透明電極１２０と前記第２透明電極１５０とが接触すると、前記活性層１３５が発光するように前記Ｐ型電極層１３１と前記Ｎ型電極層１３９に電圧を供給する電源供給部１８０とを含んでなる。
【００２０】
前記第１透明基板１１０および第２透明基板１４０はアクティブ領域とベゼル領域に区画される。アクティブ領域は、透明電極（第１透明電極１２０および第２透明電極１５０）が形成される部分であって、透明基板の中心に備えられる。ベゼル領域は、接着層１６０、電極配線（第１電極配線１９１、第２電極配線１９７）などが形成される部分であって、アクティブ領域の縁部に備えられる。ここで、第１透明基板１１０と第２透明基板１４０は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルホン（ＰＥＳ）、環状オレフィン高分子（ＣＯＣ）、ＴＡＣ(Triacetylcellulose)フィルム、ポリビニルアルコール（ＰＶＡ）フィルム、ポリイミド（ＰＩ）フィルム、ポリスチレン（ＰＳ）、二軸延伸ポリスチレン（Ｋレジン含有ＢＯＰＳ(biaxially oriented PS)）、ガラスまたは強化ガラスなどで形成することが好ましい。但し、第１透明基板１１０の場合、他面（第１透明電極１２０が形成された面の反対面）を入力手段１１５が加圧すると、第２透明基板１４０の方向に撓まなければならないので（図２参照）、高い柔軟性の材質を選択することが好ましい。一方、第１透明基板１１０と第２透明基板１４０の表面を活性化させるために、高周波処理またはプライマー処理を行うことが好ましい。第１透明基板１１０と第２透明基板１４０の表面を活性化させることにより、透明基板（第１透明基板１１０および第２透明基板１４０）と透明電極（第１透明電極１２０および第２透明電極１５０）間の接着力を向上させることができる。
【００２１】
前記第１透明電極１２０は、第１透明基板１１０の一面に形成され、第２透明電極１５０と共に、入力手段１１５がタッチしたときに信号を発生させて制御部１７０でタッチ座標を認識することができるようにする役割を行う。それだけでなく、第１透明電極１２０はＰ型電極層１３１とＰ型半導体層１３３から構成され、入力手段１１５のタッチの際に第２透明電極１５０と接触して活性層１３５を発光させる。ここで、第１透明電極１２０を構成するＰ型電極層１３１とＰ型半導体層１３３は、スパッタリング(Sputtering)や蒸着(Evaporation)などの乾式工程、ディップコーティング(Dip coating)やスピンコーティング(Spin coating)、ロールコーティング(Roll coating)、スプレーコーティング(Spray coating)などの湿式工程、またはスクリーン印刷法やグラビア印刷法(Gravure Printing)、インクジェット印刷法(Inkjet Printing)などのダイレクトパターニング工程を用いて形成することができる。この際、Ｐ型半導体層１３３は、接着力および柔軟性に優れるうえ、熱膨張係数が少ない伝導性高分子を用いてＰ型有機半導体層で形成することが好ましい。ここで、伝導性高分子の種類は、特に限定されないが、ポリ−３，４−エチレンジオキシチオフェン／ポリスチレンスルホネート（ＰＥＤＯＴ／ＰＳＳ）、ポリアニリン、ポリアセチレンまたはポリフェニレンビニレンなどを含む。また、Ｐ型電極層１３１は伝導性材料を用いて形成し、特に、ＩＴＯなどの透明な伝導性材料で形成することが好ましい。
【００２２】
前記第２透明電極１５０は、第２透明基板１４０の一面に形成され、第１透明電極１２０と共に、入力手段１１５がタッチしたときに信号を発生させて制御部１７０でタッチ座標を認識することができるようにする役割を行う。また、第２透明電極１５０は、Ｎ型電極層１３９、Ｎ型半導体層１３７および活性層１３５から構成されるが、入力手段１１５がタッチして第１透明電極１２０と接触すると、活性層１３５が発光する。ここで、第２透明電極１５０を構成するＮ型電極層１３９、Ｎ型半導体層１３７および活性層１３５は、第１透明電極１２０と同様に、スパッタリングや蒸着などの乾式工程、ディップコーティング(Dip coating)やスピンコーティング(Spin coating)、ロールコーティング(Roll coating)、スプレーコーティング(Spray coating)などの湿式工程、またはスクリーン印刷法やグラビア印刷法、インクジェット印刷法などのダイレクトパターニング工程を用いて形成することができる。この際、Ｎ型半導体層１３７は、Ｎ型ＧａＮを用いることができるが、これに限定されず、Ｇｅ、Ｓｎ、Ｔｅ、Ｓなどを含む材料が使用できる。
【００２３】
また、Ｎ型電極層１３９は、Ｐ型電極層１３１と同様に、ＩＴＯなどの透明な伝導性材料で形成することが好ましい。そして、活性層１３５は、ウェル層とバリア層が少なくとも２回交互に積層された多重量子井戸構造で形成できる。
一方、第１透明電極１２０の末端と第２透明電極１５０の末端にはそれぞれ第１電極配線１９１と第２電極配線１９７が形成される。第１電極配線１９１と第２電極配線１９７は第１透明電極１２０と第２透明電極１５０から発生する電気的信号を軟性印刷ケーブル（ＦＰＣ、Flexible Printed Cable）１７５を介して制御部１７０に伝達する役割を果たす。ここで、第１電極配線１９１と第２電極配線１９７はシルクスクリーン法、グラビア印刷法またはインクジェット印刷法などを用いて形成することができる。また、電極配線（第１電極配線１９１、第２電極配線１９７）の材料としては、電気伝導度に優れた銀ペーストまたは有機銀で組成された物質を使用することが好ましいが、これに限定されず、伝導性高分子、カーボンブラック（ＣＮＴを含む）、ＩＴＯなどの金属酸化物、または金属類などの低抵抗金属を使用することができる。
【００２４】
前記接着層１６０は、第１透明基板１１０の一面の縁部と第２透明基板１４０の一面の縁部とを互いに接着させて第１透明電極１２０と第２透明電極１５０とを互いに離隔させる役割を行う。すなわち、接着層１６０を透明基板（第１透明基板１１０および第２透明基板１４０）の縁部にのみ備え、エアギャップ(air-gap)１６５が備えられるように離隔させることにより、入力手段１１５がタッチする前には第１透明電極１２０と第２透明電極１５０とを離隔した状態に維持させることができ、入力手段１１５がタッチすると、エアギャップ１６５を介して第１透明電極１２０と第２透明電極１５０とを接触させることができる（図２参照）。ここで、接着層１６０の材質は特に限定されないが、両面接着テープ（ＤＡＴ、Double Adhesive Tape）を用いることが好ましい。
【００２５】
また、第１透明電極１２０または第２透明電極１５０にはドットスペーサー１４５が備えられてもよい。ここで、ドットスペーサー１４５は、入力手段１１５がタッチするとき、第１透明基板１１０と第２透明基板１４０間の衝撃を緩和し、入力手段１１５のタッチが終了すると、第１透明基板１１０を原位置に復帰させる反発力を提供する役割を行う。したがって、ドットスペーサー１４５は、弾力性を持つことが好ましく、ディスプレイパネルから出力する画像がドットスペーサー１４５によって遮断されないように透明な材質で形成することが好ましい。例えば、ドットスペーサー１４５はエポキシアクリル樹脂などの絶縁性合成樹脂で形成することができる。一方、図面上、ドットスペーサー１４５は第２透明電極１５０に備えられているが、これは例示的なものに過ぎない。ドットスペーサー１４５は、第１透明電極１２０に備えてもよく、第１透明電極１２０および第２透明電極１５０の両方ともに備えてもよい。
【００２６】
前記制御部１７０は、入力手段１１５がタッチパネル１００をタッチするとき、タッチ座標を算出する役割を果たす。ここで、制御部１７０が入力手段１１５のタッチ座標を算出する過程について詳細に説明する。入力手段１１５が第１透明基板１１０の他面（第１透明電極１２０が形成された面の反対面）を加圧すると、第１透明基板１１０は第２透明基板１４０の方向に撓んで第１透明電極１２０と第２透明電極１５０とが接触する（図２参照）。この際、タッチ座標に応じて第１透明電極１２０の電位と第２透明電極１５０の電位はそれぞれ特定値を有し、前記特定値は電極配線（第１電極配線１９１、第２電極配線１９７）と軟性印刷ケーブル１７５を介して制御部１７０に伝達される。最終的に、制御部１７０で前記特定値を介してタッチ座標を算出する。
【００２７】
前記電源供給部１８０は、Ｐ型電極層１３１とＮ型電極層１３９に電圧を供給し、入力手段１１５がタッチパネル１００をタッチするときに活性層１３５が発光するようにする役割を行う。ここで、活性層１３５が発光する過程について詳細に説明する。Ｐ型半導体層１３３はＰ型電極層１３１を介して電源供給部１８０の両極に接続され、Ｎ型半導体層１４７はＮ型電極層１３９を介して電源供給部１８０の陰極に接続されることにより、発光電圧以上の電圧が印加された状態である。よって、入力手段１１５が加圧して第１透明電極１２０のＰ半導体層１３３と第２透明電極１５０の活性層１３５とが接触すると（図２参照）、Ｎ型半導体層１３７の電子はＰ型半導体層１３３へ移動し、Ｐ型半導体層１３３の正孔はＮ型半導体層１３７へ移動することにより、活性層１３５で電子と正孔とが結合する。この際、活性層１３５では、電子がエネルギーを放出しながら発光する。結局、本実施例に係る発光フィードバックを提供する抵抗膜方式タッチパネル１００は、入力手段１１５がタッチすると、タッチ座標を算出することができるうえ、ユーザーがタッチ有無を明確に認識することができるように発光フィードバックを提供することができる。
【００２８】
図３および図４は本発明の好適な第２実施例に係る発光フィードバックを提供する抵抗膜方式タッチパネルの作動過程を示す断面図である。
図３および図４に示すように、本実施例に係る発光フィードバックを提供する抵抗膜方式タッチパネル２００は、前述した第１実施例と比較したときの最も大きい差異点はＮ型電極層１３９、Ｎ型半導体層１３７、活性層１３５、Ｐ型電極層１３１およびＰ型半導体層１３３の形成位置である。したがって、前記差異点を中心に説明し、第１実施例と同一の透明基板（第１透明基板１１０、第２透明基板１４０）、接着層１６０、制御部１７０、ドットスペーサー１４５、電極配線（第１電極配線１９１、第２電極配線１９７）などに関する詳細な技術は省略する。
【００２９】
本実施例に係る発光フィードバックを提供する抵抗膜方式タッチパネル２００は、第１透明基板１１０の一面にＮ型電極層１３９、Ｎ型半導体層１３７の順で積層されて第１透明電極１２０が形成され、第２透明基板１４０の一面にＰ型電極層１３１、Ｐ型半導体層１３３、活性層１３５の順で積層されて第２透明電極１５０が形成される。また、電源供給部１８０は、Ｐ型電極層１３１に陽極を印加し、Ｎ型電極層１３９に陰極を印加する。
【００３０】
前記第１透明電極１２０は、Ｎ型電極層１３９とＮ型半導体層１３７から構成され、入力手段１１５がタッチするときに第２透明電極１５０と接触して活性層１３５を発光させる。この際、Ｎ型半導体層１３７は、Ｎ型ＧａＮを用いることができるが、これに限定されず、Ｇｅ、Ｓｎ、Ｔｅ、Ｓなどを含む材料が使用できる。
また、Ｎ型電極層１３９は、ＩＴＯなどの透明な伝導性材料で形成されることが好ましい。
【００３１】
前記第２透明電極１５０は、Ｐ型電極層１３１、Ｐ型半導体層１３３、および活性層１３５から構成されるが、入力手段１１５がタッチして第１透明電極１２０と接触すると、活性層１３５が発光する。この際、Ｐ型半導体層１３３は、接着力および柔軟性に優れるうえ、熱膨張係数が少ないポリ−３，４−エチレンジオキシチオフェン／ポリスチレンスルホネート（ＰＥＤＯＴ／ＰＳＳ）、ポリアニリン、ポリアセチレンまたはポリフェニレンビニレンなどの伝導性高分子を用いてＰ型有機半導体層で形成することが好ましい。また、Ｐ型電極層１３１はＮ型電極層１３９と同様にＩＴＯなどの透明な伝導性材料で形成することが好ましい。そして、活性層１３５はウェル層とバリア層が少なくとも２回交互に積層された多重量子井戸構造で形成できる。
【００３２】
前記電源供給部１８０は、Ｐ型電極層１３１とＮ型電極層１３９に電圧を供給し、入力手段１１５がタッチパネル２００をタッチするときに活性層１３５が発光するようにする役割を行う。ここで、活性層１３５が発光する過程について詳細に考察する。Ｐ型半導体層１３３はＰ型電極層１３１を介して電源供給部１８０の陽極に接続され、Ｎ型半導体層１３７はＮ型電極層１３９を介して電源供給部１８０の陰極に接続されることにより、発光電圧以上の電圧が印加された状態である。よって、入力手段１１５が加圧して第１透明電極１２０のＮ型半導体層１３７と第２透明電極１５０の活性層１３５とが接触すると（図４参照）、Ｎ型半導体層１３７の電子はＰ型半導体層１３３へ移動し、Ｐ型半導体層１３３の正孔はＮ型半導体層１３７へ移動することにより、活性層１３５で電子と正孔とが結合する。この際、活性層１３５では電子がエネルギーを放出しながら発光する。結局、本実施例に係る発光フィードバックを提供する抵抗膜方式タッチパネル２００は、前述した第１実施例と同様に、入力手段１１５がタッチすると、タッチ座標を算出することができるうえ、ユーザーがタッチ有無を明確に認識することができるように発光フィードバックを提供することができる。
【００３３】
以上、本発明を具体的な実施例によって詳細に説明したが、これは本発明を具体的に説明するためのものに過ぎない。本発明に係る発光フィードバックを提供する抵抗膜方式タッチパネルは、これに限定されず、本発明の技術的思想から逸脱することなく、当該分野における通常の知識を有する者によって多様な変形または改良を加え得るのは明白であろう。本発明の単純な変形または変更はいずれも本発明の領域に属するもので、本発明の具体的な保護範囲は特許請求の範囲によって明白になるであろう。
【符号の説明】
【００３４】
１００、２００    タッチパネル
１１０    第１透明基板
１１５    入力手段
１２０    第１透明電極
１３１    Ｐ型電極層
１３３    Ｐ型半導体層
１３５    活性層
１３７    Ｎ型半導体層
１３９    Ｎ型電極層
１４０    第２透明基板
１４５    ドットスペーサー
１５０    第２透明電極
１６０    接着層
１６５    エアギャップ
１７０    制御部
１７５    軟性印刷ケーブル
１８０    電源供給部
１９１    第１電極配線
１９７    第２電極配線
【図１】
2012018656.tif 000003
【図２】
2012018656.tif 000004
【図３】
2012018656.tif 000005
【図４】
2012018656.tif 000006